(57)【特許請求の範囲】
【請求項１】
底面に、一方が他方の長手方向範囲内に位置し、且つ、Ｌ字状に隣接配置された２個の矩形開口部を有し、上部表面に原稿台ガラスが装着された装置本体ケースの内部に、前記原稿台ガラスに沿った往復移動を連動して行う一対の走査往復台を有する画像読み取り装置に用いられる、画像読み取り装置用固定手段であって、
前記一方の矩形開口部に外側から挿入することにより、前記装置本体ケースの内部に突出して前記走査往復台の少なくとも一方の移動を阻止するプレート部と、
前記プレート部の一端に略直角に突設され、前記他方の矩形開口部に外側から挿入することにより、前記走査往復台の移動を阻止することなく許容する取付座とを有し、
前記取付座を前記底面に固定して前記プレート部の挿入状態を保持し、前記プレート部を前記底面に固定して、前記プレート部により前記一方の矩形開口部を塞ぐと共に前記取付座の挿入状態を保持することを特徴とする画像読み取り装置用固定手段。
【請求項２】
前記他方の矩形開口部は、前記取付座を挿入することができるスリット状に形成されていることを特徴とする請求項１に記載の画像読み取り装置用固定手段。
【請求項３】
前記プレート部及び前記取付座は、
前記装置本体ケースの前記他方の矩形開口部の長手方向範囲内に位置して形成された丸穴への填め込みと、前記丸穴への填め込みによる位置決め後の、前記装置本体ケースの前記他方の矩形開口部の長手方向範囲内に位置して形成されたネジ穴への取付用ネジによる螺着により、前記プレート部或いは前記取付座を前記底面へ固定するための、填め込み用の浮き出し部と螺着用のネジ穴を有することを特徴とする請求項１または２に記載の画像読み取り装置用固定手段。
【請求項４】
前記画像読み取り装置の運搬或いは輸送に際し前記一対の走査往復台が所定位置に自動的に移動する操作台移動モードにより移動した、前記一対の走査往復台に対し、前記プレート部の挿入及び前記取付座の固定が行われることを特徴とする請求項１から３のいずれかに記載の画像読み取り装置用固定手段。
【発明の詳細な説明】
【０００１】
【発明の属する技術分野】
この発明は、画像読み取り装置用固定手段に関し、特に、運搬や輸送の際に画像読み取り装置の可動部を固定する画像読み取り装置用固定手段に関する。
【０００２】
【従来の技術】
従来、ファクシミリや複写機等の画像読み取り装置である静止原稿読み取りタイプのブックスキャナが知られている。このブックスキャナは、原稿が載置される原稿台ガラスを備え、この原稿台ガラスの裏面側に配置された、光学系、走査系及び駆動系によって、大略構成されている。
【０００３】
この走査系には、少なくとも１枚のミラー及び光源を搭載し原稿長をその副走査方向に走査する全速走査往復台と、少なくとも２枚のミラーを搭載し全速走査往復台の半分の距離を同期して移動する半速走査往復台が設けられている。これら全速走査往復台及び半速走査往復台は、駆動系のワイヤーロープを介して往復移動する。
【０００４】
このブックスキャナを運搬し或いは輸送する際に、全速走査往復台及び半速走査往復台が歪んだり破損したりするのを防止するための対策が求められている。つまり、ブックスキャナの運搬或いは輸送時には、ブックスキャナへの電源供給は遮断されているのが一般であり、全速走査往復台及び半速走査往復台の移動を拘束するものが無い状態となる。
【０００５】
このため、運搬或いは輸送時に、全速走査往復台及び半速走査往復台が任意に移動してしまい、設計仕様にはない、全速走査往復台及び半速走査往復台によるブックスキャナ筐体への干渉や衝突が予想される。このような干渉や衝突が生じた場合、全速走査往復台及び半速走査往復台の変形や歪みや破損等が発生してしまうこととなる。
【０００６】
この結果、運搬や輸送後のブックスキャナを設置し電源入力した後の稼働状態において、画像読み取りのためのＣＣＤ、レンズ及びミラー等により構成された光学系に歪みやズレが発生してしまい、正常な原稿走査が不可能になる場合がある。
【０００７】
このような場合、従来は、第１の方法として、ブックスキャナの筐体の外側から、全速走査往復台及び半速走査往復台の少なくとも片側を拘束するための固定具（固定手段）を挿入し、ブックスキャナが運搬や輸送される際に、全速走査往復台及び半速走査往復台が移動不可能な状態になるようにしていた。
【０００８】
また、第２の方法として、原稿が載置される原稿台ガラスを取り外し、ブックスキャナの筐体の内側に、全速走査往復台及び半速走査往復台の少なくとも片側を固定具で締結していた。
【０００９】
【発明が解決しようとする課題】
しかしながら、上記従来の第１の方法のように、固定具の挿入により両走査往復台を移動不可能な状態にするためには、固定具を挿入するための穴或いは切り欠きが必要となる。
【００１０】
この固定具挿入のための穴或いは切り欠きを設けた場合、この穴或いは切り欠きを介して、電磁波ノイズがブックスキャナ外へ放射されることが起こり得るため、設けたまま放置しておくことがないように何らかの別部材を用いて密閉することが必要になる。なお、この固定具は、ブックスキャナの運搬や輸送の際に繰り返し使用することができるが、従来は、一度使用したら廃棄していた。
【００１１】
また、上記従来の第２の方法のように、ブックスキャナの筐体の内側に、全速走査往復台及び半速走査往復台の少なくとも片側を固定具で締結するためには、原稿台ガラスを取り外す必要がある。このため、場合によっては、全速走査往復台及び半速走査往復台を手動で締結位置まで移動しなければならず、工数の増加と共に煩雑な操作を必要とする上に、空気中の粉塵の混入、ミラー等の光学系への人的干渉による変形や汚れ等の発生が予想され、大きなリスクを伴う。
【００１２】
この発明の目的は、運搬或いは輸送時に用いる固定手段を挿入するための開口部を稼働時に別部材を用いて密閉する必要がなく、固定手段の再利用が可能であり、また、原稿台ガラスを取り外すことにより工数が増加するのに加えて粉塵の混入及び変形や汚れ等が発生するのを防止する画像読み取り装置用固定手段を提供することである。
【００１３】
【課題を解決するための手段】
上記目的を達成するため、この発明に係る画像読み取り装置用固定手段は、底面に、一方が他方の長手方向範囲内に位置し、且つ、Ｌ字状に隣接配置された２個の矩形開口部を有し、上部表面に原稿台ガラスが装着された装置本体ケースの内部に、前記原稿台ガラスに沿った往復移動を連動して行う一対の走査往復台を有する画像読み取り装置に用いられる、画像読み取り装置用固定手段であって、前記一方の矩形開口部に外側から挿入することにより、前記装置本体ケースの内部に突出して前記走査往復台の少なくとも一方の移動を阻止するプレート部と、前記プレート部の一端に略直角に突設され、前記他方の矩形開口部に外側から挿入することにより、前記走査往復台の移動を阻止することなく許容する取付座とを有し、前記取付座を前記底面に固定して前記プレート部の挿入状態を保持し、前記プレート部を前記底面に固定して、前記プレート部により前記一方の矩形開口部を塞ぐと共に前記取付座の挿入状態を保持することを特徴としている。
【００１４】
上記構成を有することにより、底面に、一方が他方の長手方向範囲内に位置し、且つ、Ｌ字状に隣接配置された２個の矩形開口部を有し、上部表面に原稿台ガラスが装着された装置本体ケースの内部に、前記原稿台ガラスに沿った往復移動を連動して行う一対の走査往復台を有する画像読み取り装置に用いられる、画像読み取り装置用固定手段は、プレート部が、一方の矩形開口部に外側から挿入されて装置本体ケースの内部に突出し走査往復台の少なくとも一方の移動を阻止し、プレート部の一端に略直角に突設された取付座が、他方の矩形開口部に外側から挿入されて走査往復台の移動を阻止することなく許容し、取付座を底面に固定することにより、プレート部の挿入状態が保持され、プレート部を底面に固定することにより、プレート部により一方の矩形開口部が塞がれると共に取付座の挿入状態が保持される。これにより、原稿台ガラスを取り外す必要がないので、工数が削減されるのに加えて粉塵が混入したり変形や破損や汚れ等が発生することがない。
【００１５】
また、運搬或いは輸送時に用いる固定手段を挿入するための開口部を稼働時に別部材を用いて密閉する必要がなく、固定手段の再利用が可能である。
【００１６】
【発明の実施の形態】
以下、この発明の実施の形態について図面を参照して説明する。
【００１７】
図１は、この発明の実施の形態に係る画像読み取り装置用固定手段を示し、（ａ）は縦置き状態での斜視図、（ｂ）は横置き状態での斜視図である。図１に示すように、画像読み取り装置のホールドプレート（固定手段）１０は、プレート部１１と、プレート部１１の一端に略直角に突設された取付座１２とを有する、略Ｌ字状に屈曲させた板体により形成され、取付座１２が対向する一対１０ａ，１０ｂからなる。
【００１８】
プレート部１１には、取付用ネジ１３が挿入係止されるネジ穴１４が開けられると共に、凸状の浮き出し（エンボス）部１５が設けられ、取付座１２にも同様に、ネジ穴１４と共に浮き出し部１５が設けられている。また、取付座１２の反対側のプレート部１１の他端には、プレート部１１延長方向の突出量が異なると共に先端に対向する突起部を有する一対の係止突起が設けられている。
【００１９】
ネジ穴１４と浮き出し部１５の形状及び位置関係は、ホールドプレート１０の縦置き状態（（ａ）参照）或いは横置き状態（（ｂ）参照）の何れでも、ネジ穴１４を介した取付用ネジ１３によるネジ止め、及び浮き出し部１５による係合によって、ホールドプレート１０が取り付けられるように形成されている。
【００２０】
この一対のホールドプレート１０ａ，１０ｂ（図１参照）は、ファクシミリや複写機等の画像読み取り装置である静止原稿読み取りタイプのブックスキャナに取り付けられる。
【００２１】
図２は、図１の固定具が取り付けられるブックスキャナの内部構造を示す斜視図である。図３は、図２の全速走査往復台及び半速走査往復台の配置状態を示す斜視図である。
【００２２】
図２に示すように、ブックスキャナ１６は、大略、光学系、走査系及び駆動系から構成され、これら各構成部分は、操作パネル１７を備えた本体ケース１８内に設けられている。
【００２３】
光学系は、原稿が載置される原稿台ガラス、原稿を照射する光源、原稿の光学的目線上の走査ライン上の反射された光情報を反射するミラー、ミラーから反射された光が入射されるレンズ、及びレンズから出力された光が入射されて電気信号に変換される光電変換素子（ｃｈａｒｇｅ  ｃｏｕｐｌｅｄ  ｄｅｖｉｃｅ：ＣＣＤ）を有する。
【００２４】
走査系は、少なくとも１枚のミラー及び光源を搭載し原稿長をその副走査方向に走査する全速走査往復台１９（図２，３参照）、及び少なくとも２枚のミラーを搭載し全速走査往復台１９の半分の距離を同期して移動する半速走査往復台２０（図３参照）を有する。半速走査往復台２０は、全速走査往復台１９の下方に配置されている。
【００２５】
駆動系は、全速走査往復台１９の重心から両側に十分広い間隔でワイヤーロープ２１（図３参照）に連結され、ワイヤーロープ２１は半速走査往復台２０の重心から十分広い間隔で少なくとも一対の網車を介して連携されており、ワイヤーロープ２１が走査往復台１９，２０を送り出すために巻き付き解きほぐされる一対のドラム２２ａ，２２ｂ、両ドラム２２ａ，２２ｂを同期駆動するためのシャフト２３、伝達ギア系及びスキャナモータ２４を有する。また、ブックスキャナ１６の位置検出のためのスキャナ定位置センサ２５が２個配置されている。
【００２６】
図４は、図１のホールドプレートが取り付けられるブックスキャナの本体ケースの底面を示し、（ａ）はホールドプレート取付部の部分斜視図、（ｂ）は運搬時の部分斜視図、（ｃ）は使用時の部分斜視図である。
【００２７】
図４に示すように、ブックスキャナ１６の本体ケース（装置本体ケース）１８の底面１８ａには、ホールドプレート１０に対応する形状及び位置関係を有する、スリット状の一対の矩形開口部（固定手段挿入用の開口部）２６，２７と一対のネジ穴２８，丸穴２９が開けられている。
【００２８】
これら一対の矩形開口部２６，２７と一対のネジ穴２８，丸穴２９は、一対のホールドプレート１０ａ，１０ｂの各取付位置に合わせて開けられ、一対の矩形開口部２６，２７は、Ｌ字状に、且つ、矩形開口部２６が矩形開口部２７の長手方向範囲内に位置するように、隣接して、一対のネジ穴２８，丸穴２９は、矩形開口部２７に比べ幅広の矩形開口部２６に沿って、また、矩形開口部２７の長手方向範囲内に位置して、それぞれ配置されている（（ａ）参照）。
【００２９】
各矩形開口部２６，２７には、ホールドプレート１０が、底面１８ａの外側から内側に向かって挿入係止され（（ｂ），（ｃ）参照）、係止されたホールドプレート１０により、全速走査往復台１９及び半速走査往復台２０の少なくとも一方の移動を拘束することができる。
【００３０】
ブックスキャナ１６の運搬や輸送時等、全速走査往復台１９及び半速走査往復台２０の少なくとも一方の移動を拘束する際、ホールドプレート１０は、プレート部１１が底面１８ａの外側から矩形開口部２６に挿入され、取付座１２が底面１８ａへの固定部として利用される（（ｂ）参照）。また、ブックスキャナ１６の着荷後等の稼働の際、ホールドプレート１０は、取付座１２が底面１８ａの外側から矩形開口部２７に挿入され、プレート部１１が底面１８ａへの固定部として利用される（（ｃ）参照）。
【００３１】
このとき、取付座１２或いはプレート部１１は、ネジ穴１４を通り底面１８ａのネジ穴２８に螺着させたネジ１３を介して、底面１８ａに固定され、ホールドプレート１０は、プレート部１１或いは取付座１２を底面１８ａの内側に突出させている（（ｂ），（ｃ）参照）。底面１８ａに固定された取付座１２或いはプレート部１１は、浮き出し部１５を丸穴２９に填め込むことにより、位置決め固定される。
【００３２】
このブックスキャナ１６には、モード設定により、全速走査往復台１９及び半速走査往復台２０がホールドプレート１０取付位置まで自動的に移動する、走査台移動モードを備えている。
【００３３】
上記構成を有するホールドプレート１０による、全速走査往復台１９及び半速走査往復台２０の固定方法を説明する。先ず、ブックスキャナ１６を運搬し或いは輸送するに際し、走査台移動モードにする。走査台移動モードにすることで、全速走査往復台１９及び半速走査往復台２０が、本体ケース１８のホールドプレート１０取付位置まで移動する。
【００３４】
次に、ブックスキャナ１６への電源供給を遮断した後、本体ケース１８の底面１８ａに開けられた矩形開口部２６に、底面１８ａの外側から内側に向けてホールドプレート１０のプレート部１１を挿入し、丸穴２９を用いて取付座１２の浮き出し部１５を係止する。挿入係止したホールドプレート１０を、ネジ穴２８にネジ１３をネジ止めすることで、本体ケース１８に固定する。
【００３５】
本体ケース１８に固定されたホールドプレート１０により、半速走査往復台２０が拘束され、移動が阻止された半速走査往復台２０は、ホールドプレート１０取付位置に固定される。半速走査往復台２０が固定されることにより、ワイヤーロープ２１を介して連結され連携して駆動される全速走査往復台１９も、移動が阻止され固定される。
【００３６】
このように、ホールドプレート１０は、本体ケース１８の底面１８ａの外側から内側に向けて取り付けられるため、ホールドプレート１０の取り付けに際し、原稿台ガラスを取り外す必要がない。
【００３７】
運搬或いは輸送されたブックスキャナ１６の着荷後、ホールドプレート１０は本体ケース１８の底面１８ａから取り外され、全速走査往復台１９及び半速走査往復台２０の固定が解除される。取り外されたホールドプレート１０は、横向きに向きを変えて（（ｃ）参照）、本体ケース１８の底面１８ａに再度取り付けられる。
【００３８】
横向きに向きを変え、本体ケース１８の底面１８ａに取り付けられたホールドプレート１０（（ｃ）参照）は、全速走査往復台１９及び半速走査往復台２０の移動の邪魔になることはなく、ブックスキャナ１６の使用時、何ら影響を与えることはない。
【００３９】
このように、この発明によれば、原稿が載置される原稿台ガラスを取り外す必要はなく、全速走査往復台１９及び半速走査往復台２０を手動で固定位置まで移動する必要もないので、工数が増加することはなく煩雑な操作も必要としない。また、ブックスキャナ１６の着荷後、ホールドプレート１０は向きを変えて取り付けられることにより、ブックスキャナ１６にそのまま装着して一体的保存が可能となり、ブックスキャナ１６を運搬或いは輸送する際に再び利用することができる。
【００４０】
更に、ブックスキャナ１６の底面に開けられた、ホールドプレート１０を取り付けるための矩形開口部２６及び一対のネジ穴２８，丸穴２９は、ブックスキャナ１６の運搬や輸送時或いは保存時の何れの場合も、矩形開口部２６に取付座１２を挿入したホールドプレート１０自身によって塞がれ、更に、ブックスキャナ１６の稼働時には、矩形開口部２６、ネジ穴２８、丸穴２９に加えて、矩形開口部２７も、矩形開口部２７に取付座１２を挿入したホールドプレート１０自身によって塞がれる。このため、稼働時に空気中の粉塵の入り込みや電磁波ノイズの放射等を防止すると共に、運搬や輸送時にミラー等の光学系への人的干渉による変形や汚れ等が発生するおそれも無い。また、矩形開口部２７については、取付座１２の挿入が可能な幅が狭いスリット状に形成されているので、塞がれなくても運搬や輸送時に空気中の粉塵が入り込むのを極力防ぐことができる。
【００４１】
なお、上記実施の形態においては、ホールドプレート１０により半速走査往復台２０を固定したが、半速走査往復台２０に代えて全速走査往復台１９を固定しても良く、また、全速走査往復台１９及び半速走査往復台２０の両方を固定しても良い。
【００４２】
【発明の効果】
以上説明したように、この発明によれば、底面に、一方が他方の長手方向範囲内に位置し、且つ、Ｌ字状に隣接配置された２個の矩形開口部を有し、上部表面に原稿台ガラスが装着された装置本体ケースの内部に、前記原稿台ガラスに沿った往復移動を連動して行う一対の走査往復台を有する画像読み取り装置に用いられる、画像読み取り装置用固定手段は、プレート部が、一方の矩形開口部に外側から挿入されて装置本体ケースの内部に突出し走査往復台の少なくとも一方の移動を阻止し、プレート部の一端に略直角に突設された取付座が、他方の矩形開口部に外側から挿入されて走査往復台の移動を阻止することなく許容し、取付座を底面に固定することにより、プレート部の挿入状態が保持され、プレート部を底面に固定することにより、プレート部により一方の矩形開口部が塞がれると共に取付座の挿入状態が保持されるので、運搬或いは輸送時に原稿台ガラスを取り外す必要がなく、工数削減に加え粉塵の混入及び変形や破損や汚れ等が発生しない。
【００４３】
また、運搬或いは輸送時に用いる固定手段を挿入するための開口部を稼働時に別部材を用いて密閉する必要がなく、固定手段の再利用が可能であり、粉塵の浸入等を極力防ぐことができる。
【図面の簡単な説明】
【図１】この発明の実施の形態に係る画像読み取り装置用固定手段を示し、（ａ）は縦置き状態での斜視図、（ｂ）は横置き状態での斜視図である。
【図２】図１の固定具が取り付けられるブックスキャナの内部構造を示す斜視図である。
【図３】図２の全速走査往復台及び半速走査往復台の配置状態を示す斜視図である。
【図４】図１のホールドプレートが取り付けられるブックスキャナの本体ケースの底面を示し、（ａ）はホールドプレート取付部の部分斜視図、（ｂ）は運搬時の部分斜視図、（ｃ）は使用時の部分斜視図である。
【符号の説明】
１０，１０ａ，１０ｂ  ホールドプレート
１１  プレート部
１２  取付座
１３  取付用ネジ
１４  ネジ穴
１５  浮き出し部
１６  ブックスキャナ
１７  操作パネル
１８  本体ケース
１８ａ  底面
１９  全速走査往復台
２０  半速走査往復台
２１  ワイヤーロープ
２２ａ，２２ｂ  ドラム
２３  シャフト
２４  スキャナモータ
２５  スキャナ定位置センサ
２６，２７  矩形開口部
２８  ネジ穴
２９  丸穴
【図１】
0003541721.tif 000002
【図２】
0003541721.tif 000003
【図３】
0003541721.tif 000004
【図４】
0003541721.tif 000005